(57)【要約】【課題】カレンダー機能を持たない場合においても、ジョブに有効期限を設定して利便性を向上することができ、しかも、画像形成装置の記憶媒体の有効利用を実現することができる画像形成システムを提供する。【解決手段】カレンダー機能を持たない画像形成装置本体１がネットワーク端末３に接続され、ネットワーク端末３からネットワーク回線２を通じて画像形成装置本体１に入力された画像形成処理に係わるジョブＪ１を画像形成装置本体１内の記憶媒体８にジョブＪ２として記憶したうえで画像形成処理を実行する画像形成システムにおいて、ジョブＪ１又はジョブＪ２に有効期限が付加され、ジョブＪ１の出力又は入力時の現在時刻が取得・更新され、像形成装置本体１に設置されたプリンタコントローラ７によって更新された現在時刻と有効期限とを監視して有効期限に達したジョブＪ２を記憶媒体８から削除する。【選択図】      図２
2008198172.tif 000002
【特許請求の範囲】
【請求項１】
カレンダー機能を持たない画像形成装置本体がネットワーク回線を介してネットワーク端末に接続され、該ネットワーク端末から前記ネットワーク回線を通じて前記画像形成装置本体に入力された画像形成処理に係わるジョブを前記画像形成装置本体内の記憶手段に記憶したうえで画像形成処理を実行する画像形成システムにおいて、
有効期限付加手段によって前記ジョブに有効期限が付加され、現在時刻取得手段によって前記ジョブの出力又は入力時の現在時刻が取得され、現在時刻更新手段によって現在時刻が更新され、前記画像形成装置本体に設置されたジョブ制御手段によって前記現在時刻更新手段で更新された現在時刻と前記有効期限とを監視して前記有効期限に達した前記ジョブを前記記憶手段から削除することを特徴とする画像形成システム。
【請求項２】
前記有効期限は、前記ネットワーク端末から前記ジョブが出力される際に、前記ネットワーク端末の利用者によって手動付加又はプリンタドライバによって自動付加されることを特徴とする請求項１に記載の画像形成システム。
【請求項３】
前記有効期限は、前記画像形成装置本体に前記ジョブが入力された際に、前記ジョブ制御手段によって自動付加されることを特徴とする請求項１又は請求項２に記載の画像形成システム。
【請求項４】
前記現在時刻は、前記ネットワーク端末から前記ジョブが出力される際に、前記ネットワーク端末が保有するカレンダー機能を利用して前記ジョブに自動付加されることを特徴とする請求項１乃至請求項３の何れかに記載の画像形成システム。
【請求項５】
前記現在時刻は、前記画像形成装置本体から前記ジョブが入力された際に、前記ネットワーク回線を通じて前記ネットワーク端末から自動取得されることを特徴とする請求項１乃至請求項４の何れかに記載の画像形成システム。
【請求項６】
前記現在時刻は、前記ネットワーク端末から前記ジョブが出力される際に、前記ネットワーク端末の利用者によって手動付加されることを特徴とする請求項１乃至請求項５の何れかに記載の画像形成システム。
【請求項７】
前記現在時刻は、前記画像形成装置本体に新たな前記ジョブが入力される度に更新されることを特徴とする請求項１乃至請求項６の何れかに記載の画像形成システム。
【請求項８】
前記現在時刻は、前記画像形成装置本体に設置のカウンタ値を利用して更新されることを特徴とする請求項１乃至請求項７の何れかに記載の画像形成システム。
【請求項９】
前記ジョブ制御手段は、前記有効期限に達した前記ジョブを所定のトリガーを検出した際に前記記憶手段から削除することを特徴とする請求項１乃至請求項８の何れかに記載の画像形成システム。
【発明の詳細な説明】
【技術分野】
【０００１】
本発明は、画像形成システムに関する。
【背景技術】
【０００２】
従来から、ネットワークを介して接続されているコンピュータ等の端末から画像データやドライバデータ等を含むジョブを送出する際に、このジョブに有効期限を付加した状態で送出し、このジョブを受信した画像処理装置では、有効期限付きのジョブを記憶部に保持し、一定時間毎等に画像形成装置内のカレンダー機能としての計時手段（リアルタイムクロック）と有効期限とを比較し、有効期限を越えたジョブを記憶部から削除することにより、ジョブの消去忘れを減らし、記憶部に対する記憶領域の無駄な使用を防止することができる画像処理装置が知られている（例えば、特許文献１参照）。
【０００３】
この際、ジョブの有効期限は、例えば、ネットワーク端末にインストールされたソフトウエアを利用して作成したジョブを他のネットワーク端末等から画像形成処理を行う場合等、他のネットワーク端末にジョブ作成元と同一のソフトウエアがインストールされていなくても追加の画像形成処理を実行することができたり、画像形成装置側から直接追加の画像形成処理を実行することができる等の利便性向上の観点から、画像形成処理直後にジョブを自動的に削除する機能とは別のジョブ削除機能として利用されている。
【０００４】
また、このような再利用（再画像形成処理）を行う可能性のあるジョブは、画像形成装置に設けられたハードディスク等の記憶媒体に一旦保持させたうえで画像形成処理を行う機種の場合、有効期限が設定されていないと恒久的に保持され続けることになる。
【０００５】
基本的に、このような恒久的に保持する必要があるジョブは稀であり、多くの場合においては不要なジョブが記憶媒体に保持され続けることとなり、再利用のために画像形成装置の操作パネルやネットワーク端末のリモートツール等を利用してジョブを再出力する際、所望のジョブを選択する操作が非常に煩わしくなるばかりでなく、容量が有限である記憶媒体内部におけるフラグメンテーションの発生にも繋がる可能性があり、その結果、パフォーマンスの低下を招く要因ともなってしまうという問題が生じる。
【特許文献１】特開２００６−１２７４２９号公報
【発明の開示】
【発明が解決しようとする課題】
【０００６】
ところが、上記の如く構成された画像形成システムにあっては、例えば、コストパフォーマンスの低いプリンタ専用機等の画像形成装置には、カレンダー機能としての計時手段（リアルタイムクロック）を物理的に保有していないものがあり、このような計時手段を保有していない画像形成装置では有効期限を設定することができないという問題が生じていた。
【０００７】
そこで、本発明は、上記事情を考慮し、画像形成装置やプラットフォームにカレンダー機能を持たない場合においても、ジョブに有効期限を設定して利便性を向上することができ、しかも、画像形成装置の記憶媒体の有効利用を実現することができる画像形成システムを提供することを目的とする。
【課題を解決するための手段】
【０００８】
本発明の画像形成システムは、カレンダー機能を持たない画像形成装置本体がネットワーク回線を介してネットワーク端末に接続され、該ネットワーク端末から前記ネットワーク回線を通じて前記画像形成装置本体に入力された画像形成処理に係わるジョブを前記画像形成装置本体内の記憶手段に記憶したうえで画像形成処理を実行する画像形成システムにおいて、有効期限付加手段によって前記ジョブに有効期限が付加され、現在時刻取得手段によって前記ジョブの出力又は入力時の現在時刻が取得され、現在時刻更新手段によって現在時刻が更新され、前記画像形成装置本体に設置されたジョブ制御手段によって前記現在時刻更新手段で更新された現在時刻と前記有効期限とを監視して前記有効期限に達した前記ジョブを前記記憶手段から削除することを特徴とする。
【０００９】
この際、前記有効期限は、前記ネットワーク端末から前記ジョブが出力される際に、前記ネットワーク端末の利用者によって手動付加又はプリンタドライバによって自動付加されるのが好ましく、前記画像形成装置本体に前記ジョブが入力された際に、前記ジョブ制御手段によって自動付加されてもよい。
【００１０】
また、前記現在時刻は、前記ネットワーク端末から前記ジョブが出力される際に、前記ネットワーク端末が保有するカレンダー機能を利用して前記ジョブに自動付加されるのが好ましく、前記画像形成装置本体から前記ジョブが入力された際に、前記ネットワーク回線を通じて前記ネットワーク端末から自動取得されてもよいし、前記ネットワーク端末から前記ジョブが出力される際に、前記ネットワーク端末の利用者によって手動付加されてもよい。
【００１１】
さらに、前記現在時刻は、前記画像形成装置本体に新たな前記ジョブが入力される度に更新されるのが好ましく、前記画像形成装置本体に設置のカウンタ値を利用して更新されてもよい。
【００１２】
この際、前記ジョブ制御手段は、前記有効期限に達した前記ジョブを所定のトリガーを検出した際に前記記憶手段から削除するのが好ましい。
【発明の効果】
【００１３】
本発明の画像形成システムは、画像形成装置やプラットフォームにカレンダー機能を持たない場合においても、ジョブに有効期限を設定して利便性を向上することができ、しかも、画像形成装置の記憶媒体の有効利用を実現することができる。
【発明を実施するための最良の形態】
【００１４】
次に、本発明の一実施形態に係る画像形成システムについて、図面を参照して説明する。
【００１５】
図１は本発明の一実施形態に係る画像形成システムの説明図、図２は本発明の一実施形態に係る画像形成システムの要部のブロック構成図、図３は本発明の一実施形態に係る画像形成システムにおける有効期限付加手段と現在時刻取得手段と現在時刻更新手段との相関図、図４は本発明の一実施形態に係る画像形成システムのルーチンの一例を示すフロー図、図５は本発明の一実施形態に係る画像形成システムのルーチンの他例を示すフロー図、  図６は本発明の一実施形態に係る画像形成システムの有効期限設定ルーチンのフロー図である。
【００１６】
図１に示すように、本発明の一実施形態に係る画像形成システムは、カレンダー機能を持たない画像形成装置本体（プリンタ本体）１と、画像形成装置本体１にネットワーク回線２を介して接続されたネットワーク端末としてのパーソナルコンピュータ３及びサーバー４と、サーバー４とインターネットルータ５を介して接続されたインターネット回線（ネットワーク回線）６とを備えている。尚、サーバー４は、本実施の形態では、少なくともプリントサーバーとインターネットサーバー（メールサーバー等を含む）とを兼用しているが、インターネット回線６と接続されていないＬＡＮ構成でも良い。
【００１７】
画像形成装置本体１は、図２に示すように、ジョブ制御手段としてのプリンタコントローラ７と、パーソナルコンピュータ３から出力された画像形成処理に係わるジョブをプリンタコントローラ７を介して記憶する大容量ハードディスク等の記憶手段としての記憶媒体８と、プリンタコントローラ７による各種制御のための制御情報を格納したＲＯＭ９と、記憶媒体８に記憶されたジョブＪ２に基づいて画像形成処理を実行する画像形成部１０と、例えば、スリープモード（省電モード）を起動するために所定時間をカウントするカウンタ１１とを備えている。
【００１８】
尚、このカウンタ１１は、後述する現在時刻の更新の際にも利用することができるが、カレンダー機能としての計時手段（リアルタイムクロック）とは異なり、あくまでも所定時間をカウントし、その所定時間の経過或いは所定のタイミング（例えば、新たなジョブ処理等）によってリセットされるものであり、スリープモード等を具備しない場合には無くても良い。
【００１９】
一方、ネットワーク端末としてのパーソナルコンピュータ３は、図示しない大容量ハードディスクにＯＳ（オペレーティングシステム）や各種ソフトウエア等がインストールされており、その各種ソフトウエアを利用して作成した画像や文書等を画像形成に関するジョブＪ１を画像形成装置本体１に出力することができる。また、パーソナルコンピュータ３は、そのジョブを出力するために画像形成装置本体１に適合したドライバ１２が大容量ハードディスクにインストール（又はサーバー４にインストール）されており、そのドライバ１２で生成されたジョブＪ１は、メモリ１３に一時的に記憶された後に、ネットワーク回線２を通じて画像形成装置本体１に出力することができる。
【００２０】
尚、このジョブＪ１は、上述した各種ソフトウエアを利用して作成した画像や文書等の実際に画像形成部１０で画像形成処理するための画像データの他、各種パラメータ設定や現在時刻等を含んでいる。
【００２１】
この際、現在時刻は、パーソナルコンピュータ３に標準装備されているカレンダー機能を利用して、その出力時の時刻等を現在時刻情報としてジョブＪ１に重畳することができる。
【００２２】
ところで、本発明の画像形成システムでは、画像形成装置本体１がカレンダー機能を具備していないことから、上述したパーソナルコンピュータ３等のＬＡＮ構成上のハードウエア資源（ネットワーク端末）を利用して、有効期限付加手段と、現在時刻取得手段と、現在時刻更新手段とを具備する。
【００２３】
具体的には、図３に示すように、有効期限付加手段としてドライバ１２を用い、そのドライバ１２によって有効期限（ユーザ手動設定又はデフォルト値の自動設定を問わない）をジョブＪ１に付加することができる。また、有効期限付加手段としてプリンタコントローラ７を用い、ＲＯＭ９に格納された有効期限（デフォルト値又は設定値を問わない）をジョブＪ１の受信時に付加してジョブＪ２を生成し、記憶媒体８に記憶しても良い。尚、これら２つの有効期限付加手段（ドライバ１２及びプリンタコントローラ７）を併用し、有効期限の長い方（又は短い方）を優先するといったことも可能である。
【００２４】
また、現在時刻取得手段としてジョブＪ１を出力するパーソナルコンピュータ３のカレンダー機能を用い、ジョブＪ１にドライバ１２がカレンダー機能の現在時刻を現在時刻情報として付加することができる。また、現在時刻取得手段としてプリンタコントローラ７を利用し、ジョブＪ１を出力するパーソナルコンピュータ３又は他のパーソナルコンピュータ３やサーバー４・インターネットルータ５・インターネット回線６を通じた現在時刻情報資源から現在時刻を取得してジョブＪ２に現在時刻を現在時刻情報として付加することができる。さらに、現在時刻取得手段としてパーソナルコンピュータ３や画像形成装置本体１を利用し、ユーザによって現在時刻を手動設定し、ジョブＪ１又はジョブＪ２に付加することができる。尚、これらの機能によって取得した現在時刻は、ジョブＪ２とは別に記憶媒体８又は別のメモリ（図示せず）等に記憶しても良い。
【００２５】
さらに、現在時刻更新手段としてジョブＪ１を出力するパーソナルコンピュータ３のカレンダー機能を用い、新たなジョブＪ１が画像形成装置本体１に入力される毎に現在時刻を更新することができる。また、現在時刻更新手段としてカウンタ１１を利用し、画像形成装置本体１の電源投入時や最初のジョブＪ１の入力時に上述した現在時刻取得手段を利用して取得した現在時刻にカウンタ１１のカウント値を加算して現在時刻を更新することができる。
【００２６】
次に、本発明の画像形成システムにおけるジョブＪ２の削除例１を図４のフロー図を参照しつつ説明する。
【００２７】
（ステップＳ１）
ステップＳ１では、パーソナルコンピュータ３の各種ソフトウエアを利用して作成された画像や文書等の印刷実行操作がなされると、ドライバ１２がジョブＪ１を生成してメモリ１３に記憶してステップＳ２へと移行する。
【００２８】
（ステップＳ２）
ステップＳ２では、ジョブＪ１をメモリ１３から呼び出してネットワーク回線２を通じて出力する前に、ドライバ１２によってジョブＪ１に有効期限を付加してステップＳ３へと移行する。尚、有効期限はステップＳ１でジョブＪ１をメモリ１３に記憶する前に付加しても良いが、出力タイミング（例えば、時間指定のジョブＪ１の出力等）との関係を考慮すると、出力直前に有効期限を付加するのが好ましい。
【００２９】
（ステップＳ３）
ステップＳ３では、ジョブＪ１をメモリ１３から呼び出してネットワーク回線２を通じて出力する際に、他のネットワーク機器（例えば、現在時刻の信憑性の高いサーバー４）から現在時刻を取得し、その現在時刻をドライバ１２がジョブＪ１に付加してステップＳ４へと移行する。尚、有効期限はステップＳ１でジョブＪ１をメモリ１３に記憶する前に付加しても良いが、出力タイミング（例えば、時間指定のジョブＪ１の出力等）との関係を考慮すると、出力直前に現在時刻を付加するのが好ましい。また、この現在時刻は、画像形成装置本体１の電源投入時等にサーバー４等から取得しても良い。
【００３０】
（ステップＳ４）
ステップＳ４では、ドライバ１２はメモリ１３上に作成されたジョブＪ１を所定の画像形成装置本体１に実際に出力してステップＳ５へと移行する。
【００３１】
（ステップＳ５）
ステップＳ５では、ジョブＪ１が電源投入後、初めてのジョブＪ１の入力の場合には、ジョブＪ１に含まれる現在時刻を現在時刻としてカウンタ１１のカウントを開始し、既に現在時刻が設定されている場合にはカウンタ１１の所定カウントアップ毎等（カウントリセットされる前）に現在時刻を更新してステップＳ６へと移行する。
【００３２】
（ステップＳ６）
ステップＳ６では、プリンタコントローラ７は受信したジョブＪ１からパラメータ設定や描画処理等の通常の画像形成処理に関するジョブ処理を行ってステップＳ７へと移行する。
【００３３】
（ステップＳ７）
ステップＳ７では、プリンタコントローラ７はステップＳ６で処理したジョブＪ１をジョブＪ２として記憶媒体８に保存してステップＳ８へと移行する。
【００３４】
（ステップＳ８）
ステップＳ８では、プリンタコントローラ７はステップＳ７で処理の終わったジョブＪ２を画像形成部１０に転送してステップＳ９へと移行する。
【００３５】
（ステップＳ９）
ステップＳ９では、受け取ったジョブＪ２に基づいて画像形成部１０で画像形成処理を実行してステップＳ１０へと移行する。
【００３６】
（ステップＳ１０）
ステップＳ１０では、プリンタコントローラ７は所定の時期（ジョブＪ２の画像形成処理終了時、ユーザ操作（特定又は不特定）時、Ｒｅａｄｙ時等）に記憶媒体８に保存されているジョブＪ２の有効期限と現在時刻とを比較して、有効期限切れのジョブＪ２の検索を行い、有効期限切れのジョブＪ２が保存されていた場合には、そのジョブＪ２を記憶媒体８から消去する。
【００３７】
尚、上述したジョブＪ２の削除ルーチンは一例であり、有効期限付加手段・現在時刻取得手段・現在時刻更新手段の組み合わせは任意である。
【００３８】
以下、本発明の画像形成システムにおけるジョブＪ２の削除例２を図５のフロー図を参照しつつ説明するが、これ以外でも可能であることは勿論である。
【００３９】
（ステップＳ１１）
ステップＳ１１では、パーソナルコンピュータ３の各種ソフトウエアを利用して作成された画像や文書等の印刷実行操作がなされると、ドライバ１２がジョブＪ１を生成してメモリ１３に記憶してステップＳ１２へと移行する。
【００４０】
（ステップＳ１２）
ステップＳ１２では、ジョブＪ１をメモリ１３から呼び出してネットワーク回線２を通じて出力する前に、ドライバ１２によってジョブＪ１に有効期限を付加してステップＳ１３へと移行する。尚、有効期限はステップＳ１でジョブＪ１をメモリ１３に記憶する前に付加しても良いが、出力タイミング（例えば、時間指定のジョブＪ１の出力等）との関係を考慮すると、出力直前に有効期限を付加するのが好ましい。
【００４１】
（ステップＳ１３）
ステップＳ１３では、ドライバ１２はメモリ１３上に作成されたジョブＪ１を所定の画像形成装置本体１に実際に出力してステップＳ１４へと移行する。
【００４２】
（ステップＳ１４）
ステップＳ１４では、ジョブＪ１が電源投入後、初めてのジョブＪ１の入力の場合には、ジョブＪ１に含まれる現在時刻を現在時刻とし、新たなジョブＪ１が入力された際には、そのジョブＪ１に付加された現在時刻に基づいて現在時刻を更新してステップＳ１５へと移行する。
【００４３】
（ステップＳ１５）
ステップＳ１５では、プリンタコントローラ７は受信したジョブＪ１からパラメータ設定や描画処理等の通常の画像形成処理に関するジョブ処理を行ってステップＳ１６へと移行する。
【００４４】
（ステップＳ１６）
ステップＳ１６では、プリンタコントローラ７はステップＳ１５で処理したジョブＪ１をジョブＪ２として記憶媒体８に保存してステップＳ１７へと移行する。
【００４５】
（ステップＳ１７）
ステップＳ１７では、ジョブＪ２を記憶媒体８に記憶する際に、プリンタコントローラ７によってＲＯＭ９に格納された有効期限情報に基づく有効期限をジョブＪ２に付加してステップＳ１８へと移行する。
【００４６】
（ステップＳ１８）
ステップＳ１８では、プリンタコントローラ７はステップＳ１５で処理の終わったジョブＪ２を画像形成部１０に転送してステップＳ１９へと移行する。
【００４７】
（ステップＳ１９）
ステップＳ１９では、受け取ったジョブＪ２に基づいて画像形成部１０で画像形成処理を実行してステップＳ２０へと移行する。
【００４８】
（ステップＳ２０）
ステップＳ２０では、プリンタコントローラ７は所定の時期（ジョブＪ２の画像形成処理終了時、ユーザ操作時（特定又は不特定）、Ｒｅａｄｙ時等）に記憶媒体８に保存されているジョブＪ２の有効期限と現在時刻とを比較して、有効期限切れのジョブＪ２の検索を行い、有効期限切れのジョブＪ２が保存されていた場合には、そのジョブＪ２を記憶媒体８から消去する。
【００４９】
尚、上述した有効期限には、例えば、ジョブＪ１の出力時又は入力時における現在時刻を基準として１２時間後等の所定時間経過後の他、年月日（詳細時間指定を含む）等でも良い。
【００５０】
また、削除タイミング（ステップＳ１０，Ｓ２０）に関しては、上述したタイミングの他、現在時刻更新時毎に削除対象となるジョブＪ２の有無を確認しても良い。
【００５１】
例えば、有効期限切れジョブの具体的な消去タイミング（トリガー）としては、図３に示すように、ジョブＪ２の画像形成処理終了時やユーザ操作時等のジョブＪ２の有効期限と現在時刻との比較タイミング後の他、サブタスク（ポーリング等）で常に有効期限が切れているかどうかを監視、メイン電源（図示せず）の再起動時、所定時間経過毎、等があるが、これらの１つ以上を任意の組み合わせで同時に実現することも可能である。
【００５２】
尚、上述したジョブの処理に関するトリガーとしては、ジョブＪ２の画像形成処理終了時又はメイン電源（図示せず）の再起動時とするのがコストパフォーマンスの観点から好ましい。
【００５３】
さらに、有効期限を過ぎたジョブか否かのジョブの検索方法としては、図６のフロー図に示すようなルーチンで検索することができる。尚、このルーチンはシーケンシャルに処理される。
【００５４】
（ステップＳ２１）
ステップＳ２１では、上述した消去処理開始トリガーを受けたプリンタコントローラ７は、記憶媒体８に保存されているジョブが複数ある場合、その複数のジョブをＲＡＭ１４（図２参照）に展開し、有効期限の若い順に複数のジョブをソートしてステップＳ２２へと移行する。
【００５５】
（ステップＳ２２）
ステップＳ２２では、プリンタコントローラ７は、ＲＡＭ１４に展開・ソートされた複数のジョブに対し有効期限に達しているか否かを判断し、有効期限に達しているジョブに対してはステップＳ２３へと移行し、有効期限に達していないジョブに対してはステップＳ２４へと移行する。
【００５６】
（ステップＳ２３）
ステップＳ２３では、プリンタコントローラ７は、有効期限に達していたジョブを記憶媒体８から消去してこのルーチンを終了する。尚、ＲＡＭ１４上に展開された複数のジョブは、図示しないメイン電源のＯＦＦと同時に消去される。
【００５７】
（ステップＳ２４）
ステップＳ２４では、プリンタコントローラ７は、有効期限に達していないジョブの現在時刻から有効期限までの残り時間を算出する。尚、この算出された残り時間は、上記トリガーの種類に応じて利用することができる。また、この残り時間は算出しなくても良いし、有効期限の更新情報として利用しても良い。
【００５８】
従って、このステップＳ２４のルーチンが終了した場合には、ステップＳ２２へとループして有効期限に達した場合にジョブを消去しても良いし、図６に示したルーチンを終了しても良い。
【００５９】
このように、本発明の画像形成システムによれば、画像形成装置本体又は画像形成装置起動用のプラットフォーム（ＯＳ）がカレンダー機能を持たない場合においても、疑似的に時間情報を持たせることによって、ジョブに有効期限を設定することができ、画像形成装置本体の記憶媒体の資源を有効活用することができる。
【００６０】
ところで、上記実施の形態では、本発明の画像形成システムをプリンタ専用機に適用して説明したが、例えば、プリンタ機能と複写機機能（スキャナ機能を含む）とを備えたネットワーク複合機等のように、カレンダー機能を持たない画像形成装置全般に適用することができることは勿論である。
【００６１】
この際、ファクシミリ専用機やファクシミリ機能を備えた複合機にあっては、基本的には送受信日時を記録するためにカレンダー機能を備えているが、上述したようにカレンダー機能を備えた他のネットワーク端末から現在時刻（現在日時）を取得するようにすればファクシミリ機能を具備した複合機とすることも可能である。
【図面の簡単な説明】
【００６２】
【図１】本発明の一実施形態に係る画像形成システムの説明図である。
【図２】本発明の一実施形態に係る画像形成システムの要部のブロック構成図である。
【図３】本発明の一実施形態に係る画像形成システムにおける有効期限付加手段と現在時刻取得手段と現在時刻更新手段との相関図である。
【図４】本発明の一実施形態に係る画像形成システムのルーチンの一例を示すフロー図である。
【図５】本発明の一実施形態に係る画像形成システムのルーチンの他例を示すフロー図である。
【図６】本発明の一実施形態に係る画像形成システムの有効期限設定ルーチンのフロー図である。
【符号の説明】
【００６３】
１…画像形成装置本体
２…ネットワーク回線
３…パーソナルコンピュータ（ネットワーク端末）
４…サーバー（ネットワーク端末）
５…インターネットルータ（ネットワーク端末）
７…プリンタコントローラ（ジョブ制御手段）
８…記憶媒体（記憶手段）
１２…ドライバ
１３…メモリ
１４…ＲＡＭ
【図１】
2008198172.tif 000003
【図２】
2008198172.tif 000004
【図３】
2008198172.tif 000005
【図４】
2008198172.tif 000006
【図５】
2008198172.tif 000007
【図６】
2008198172.tif 000008